(57)【特許請求の範囲】
【請求項１】
ユーザー情報取得装置によるユーザー情報を取得する方法であって、
ターゲットユーザーのプロフィ―ル情報を取得することと、
前記ターゲットユーザーのプロフィ―ル情報と前記ターゲットユーザーのユーザー情報を取得する方式を指示する少なくとも一つの取得戦略を含む予め設定した取得戦略集合とに基づいて、前記ターゲットユーザーのユーザー情報を取得することと、
を含み、
前記ターゲットユーザーのプロフィ―ル情報と予め設定した取得戦略集合とに基づいて、前記ターゲットユーザーのユーザー情報を取得することは、
予め設定した範囲内で前記ターゲットユーザーのプロフィ―ル情報をブロードキャストすることと、
ターゲット端末装置からフィードバックされた前記ターゲット端末装置にローカルに記憶されているユーザー情報を含む第３応答情報を受信することと、
を含み、
前記ターゲットユーザーに対応するターゲット端末装置は前記予め設定した範囲内にあり、
予め設定した範囲内で前記ターゲットユーザーのプロフィ―ル情報をブロードキャストした後、
前記ターゲット端末装置からフィードバックされた、前記ターゲットユーザーが前記ターゲットユーザーのユーザー情報を送信することを拒絶したことを示す第４応答情報を受信することと、
サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報を前記サーバーに送信することと、
前記サーバーからフィードバックされた、前記ターゲットユーザーのユーザー情報を含む第１応答情報を受信することと、
をさらに含むことを特徴とするユーザー情報を取得する方法。
【請求項２】
前記ターゲットユーザーのプロフィ―ル情報と予め設定した取得戦略集合とに基づいて、前記ターゲットユーザーのユーザー情報を取得することは、
前記サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報をサーバーに送信することと、
前記サーバーからフィードバックされた前記ターゲットユーザーのユーザー情報を含む第１応答情報を受信することと、
を含むことを特徴とする、請求項１に記載のユーザー情報を取得する方法。
【請求項３】
前記ターゲットユーザーのプロフィ―ル情報をサーバーに送信した後、
前記サーバーからフィードバックされた、前記サーバーに前記ターゲットユーザーのユーザー情報が含まれていないことを示す第２応答情報を受信することと、
予め設定した範囲内で前記ターゲットユーザーのプロフィ―ル情報をブロードキャストすることと、
前記ターゲット端末装置からフィードバックされた前記ターゲット端末装置にローカルに記憶されているユーザー情報を含む第３応答情報を受信することと、
をさらに含み、
前記ターゲットユーザーに対応するターゲット端末装置は前記予め設定した範囲内にある、ことを特徴とする、請求項２に記載のユーザー情報を取得する方法。
【請求項４】
ユーザー情報取得装置によるユーザー情報を取得する方法であって、
第１端末装置から送信されたターゲットユーザーのプロフィ―ル情報を受信することと、
前記ターゲットユーザーのプロフィ―ル情報に基づいてサーバーに、前記ターゲットユーザーのプロフィ―ル情報と紹介情報を含むユーザー情報が含まれているか否かを照会することと、
前記サーバーに前記ターゲットユーザーのユーザー情報が含まれる場合、前記第１端末装置に前記ターゲットユーザーのユーザー情報を含む第１応答情報を送信することと、
を含み、
前記方法は、
予め設定した範囲内で前記ターゲットユーザーのプロフィ―ル情報をブロードキャストすることと、
ターゲット端末装置からフィードバックされた前記ターゲット端末装置にローカルに記憶されているユーザー情報を含む第３応答情報を受信することと、をさらに含み、
前記ターゲットユーザーに対応するターゲット端末装置は前記予め設定した範囲内にあり、
予め設定した範囲内で前記ターゲットユーザーのプロフィ―ル情報をブロードキャストした後、
前記ターゲット端末装置からフィードバックされた、前記ターゲットユーザーが前記ターゲットユーザーのユーザー情報を送信することを拒絶したことを示す第４応答情報を受信することと、
前記サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報を前記サーバーに送信することと、
前記サーバーからフィードバックされた、前記ターゲットユーザーのユーザー情報を含む第１応答情報を受信することと、をさらに含むことを特徴とするユーザー情報を取得する方法。
【請求項５】
前記ターゲットユーザーのプロフィ―ル情報に基づいて、サーバーに前記ターゲットユーザーのユーザー情報が含まれているか否かを照会した後、
前記サーバーに前記ターゲットユーザーのユーザー情報が含まれていない場合、前記第１端末装置に、前記サーバーに前記ターゲットユーザーのユーザー情報が含まれていないことを示す第２応答情報を送信すること、
をさらに含むことを特徴とする、請求項４に記載のユーザー情報を取得する方法。
【請求項６】
第１端末装置から送信されたターゲットユーザーのプロフィ―ル情報を受信する前に、
少なくとも一つのユーザーのユーザー情報を取得して記憶すること、
をさらに含むことを特徴とする、請求項４又は５に記載のユーザー情報を取得する方法。
【請求項７】
ユーザー情報取得装置によるユーザー情報を取得する方法であって、
第１端末装置によりブロードキャストされたターゲットユーザーのプロフィ―ル情報を受信することと、
前記ターゲットユーザーのプロフィ―ル情報と第２端末装置に記憶されているプロフィ―ル情報に基づいて、前記第２端末装置が前記ターゲットユーザーに対応するターゲット端末装置であるか否かを判断することと、
前記第２端末装置が前記ターゲット端末装置である場合、前記第１端末装置に、前記ターゲット端末装置にローカルに記憶されている前記ターゲットユーザーのプロフィ―ル情報と前記ターゲットユーザーの紹介情報を含むユーザー情報が含まれた第３応答情報を送信することと、
を含み、
前記方法は、
予め設定した範囲内で前記ターゲットユーザーのプロフィ―ル情報をブロードキャストすることと、
ターゲット端末装置からフィードバックされた前記ターゲット端末装置にローカルに記憶されているユーザー情報を含む第３応答情報を受信することと、をさらに含み、
前記ターゲットユーザーに対応するターゲット端末装置は前記予め設定した範囲内にあり、
予め設定した範囲内で前記ターゲットユーザーのプロフィ―ル情報をブロードキャストした後、
前記ターゲット端末装置からフィードバックされた、前記ターゲットユーザーが前記ターゲットユーザーのユーザー情報を送信することを拒絶したことを示す第４応答情報を受信することと、
サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報を前記サーバーに送信することと、
前記サーバーからフィードバックされた、前記ターゲットユーザーのユーザー情報を含む第１応答情報を受信することと、をさらに含むことを特徴とするユーザー情報を取得する方法。
【請求項８】
前記ターゲットユーザーのプロフィ―ル情報と第２端末装置に記憶されているプロフィ―ル情報とに基づいて前記第２端末装置が前記ターゲットユーザーに対応するターゲット端末装置であるか否かを判断した後、
前記第２端末装置が前記ターゲット端末装置であり、前記ターゲットユーザーが前記第１端末装置に前記ターゲットユーザーのユーザー情報を送信することを拒絶する場合、前記第１端末装置に、前記ターゲットユーザーが前記第１端末装置に前記ユーザー情報を送信することを拒絶することを示す第４応答情報を送信すること、
をさらに含むことを特徴とする、請求項７に記載のユーザー情報を取得する方法。
【請求項９】
ターゲットユーザーのプロフィ―ル情報を取得するように構成された第１取得モジュールと、
前記第１取得モジュールにより取得された前記ターゲットユーザーのプロフィ―ル情報と前記ターゲットユーザーのユーザー情報を取得する方式を指示する少なくとも一つの取得戦略を含む予め設定した取得戦略集合とに基づいて、前記ターゲットユーザーのユーザー情報を取得するように構成された第２取得モジュールと、
を含み、
前記第２取得モジュールは、
予め設定した範囲内で前記第１取得モジュールにより取得された前記ターゲットユーザーのプロフィ―ル情報をブロードキャストするように構成された第２ブロードキャストサブモジュールと、
ターゲット端末装置からフィードバックされた、前記ターゲット端末装置にローカルに記憶されているユーザー情報が含まれている第３応答情報を受信するように構成された第４受信サブモジュールと、
前記ターゲット端末装置からフィードバックされた、前記ターゲットユーザーが前記ターゲットユーザーのユーザー情報を送信することを拒絶することを指示する第４応答情報を受信するように構成された第５受信サブモジュールと、
前記第１取得モジュールにより取得された、サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報を、サーバーに送信するように構成された第２送信サブモジュールと、
前記サーバーからフィードバックされた、前記ターゲットユーザーのユーザー情報を含む第１応答情報を受信するように構成された第６受信サブモジュールと、を含み、
前記ターゲットユーザーに対応する前記ターゲット端末装置は前記予め設定した範囲内にあることを特徴とするユーザー情報を取得する装置。
【請求項１０】
前記第２取得モジュールは、
前記第１取得モジュールにより取得された、前記サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報を、サーバーに送信するように構成された第１送信サブモジュールと、
前記サーバーからフィードバックされた、前記ターゲットユーザーのユーザー情報が含まれた第１応答情報を受信するように構成された第１受信サブモジュールと、
を含むことを特徴とする、請求項９に記載のユーザー情報を取得する装置。
【請求項１１】
前記第２取得モジュールは、
前記サーバーからフィードバックされた、前記サーバーに前記ターゲットユーザーのユーザー情報が含まれていないことを指示する第２応答情報を受信するように構成された第２受信サブモジュールと、
予め設定した範囲内で前記第１取得モジュールにより取得された前記ターゲットユーザーのプロフィ―ル情報をブロードキャストするように構成された第１ブロードキャストサブモジュールと、
前記ターゲット端末装置からフィードバックされた、前記ターゲット端末装置にローカルに記憶されているユーザー情報が含まれている第３応答情報を受信するように構成された第３受信サブモジュールと、
をさらに含み、
前記ターゲットユーザーに対応するターゲット端末装置は前記予め設定した範囲内にあることを特徴とする、請求項１０に記載のユーザー情報を取得する装置。
【請求項１２】
ユーザー情報を取得する装置であって、
第１端末装置から送信されたターゲットユーザーのプロフィ―ル情報を受信するように構成された受信モジュールと、
前記受信モジュールにより受信された前記ターゲットユーザーのプロフィ―ル情報に基づいて、サーバーに前記ターゲットユーザーのプロフィ―ル情報と紹介情報を含むユーザー情報が含まれているか否かを照会するように構成された照会モジュールと、
前記照会モジュールにより前記サーバーに前記ターゲットユーザーのユーザー情報が含まれていることを確認した場合、前記第１端末装置に前記ターゲットユーザーのユーザー情報を含む第１応答情報を送信するように構成された第１送信モジュールと、
を含み、
前記ユーザー情報を取得する装置は、
前記ターゲットユーザーのプロフィ―ル情報を取得するように構成された第１取得モジュールと、
予め設定した範囲内で前記第１取得モジュールにより取得された前記ターゲットユーザーのプロフィ―ル情報をブロードキャストするように構成された第２ブロードキャストサブモジュールと、
ターゲット端末装置からフィードバックされた、前記ターゲット端末装置にローカルに記憶されているユーザー情報が含まれている第３応答情報を受信するように構成された第４受信サブモジュールと、
前記ターゲット端末装置からフィードバックされた、前記ターゲットユーザーが前記ターゲットユーザーのユーザー情報を送信することを拒絶することを指示する第４応答情報を受信するように構成された第５受信サブモジュールと、
前記第１取得モジュールにより取得された、前記サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報を、サーバーに送信するように構成された第２送信サブモジュールと、
前記サーバーからフィードバックされた、前記ターゲットユーザーのユーザー情報を含む第１応答情報を受信するように構成された第６受信サブモジュールと、をさらに含み、
前記ターゲットユーザーに対応する前記ターゲット端末装置は前記予め設定した範囲内にあることを特徴とするユーザー情報を取得する装置。
【請求項１３】
前記照会モジュールにより前記サーバーに前記ターゲットユーザーのユーザー情報が含まれていないことを確認した場合、前記第１端末装置に、前記サーバーに前記ターゲットユーザーのユーザー情報が含まれていないことを示す第２応答情報を送信するように構成された第２送信モジュールと、
をさらに含むことを特徴とする、請求項１２に記載のユーザー情報を取得する装置。
【請求項１４】
少なくとも一つのユーザーのユーザー情報を取得し、記憶するように構成された取得モジュール、
をさらに含むことを特徴とする、請求項１２又は１３に記載のユーザー情報を取得する装置。
【請求項１５】
ユーザー情報を取得する装置であって、
第１端末装置によりブロードキャストされたターゲットユーザーのプロフィ―ル情報を受信するように構成された受信モジュールと、
前記受信モジュールにより受信された前記ターゲットユーザーのプロフィ―ル情報と第２端末装置に記憶されているプロフィ―ル情報に基づいて前記第２端末装置が前記ターゲットユーザーに対応するターゲット端末装置であるか否かを判断するように構成された判断モジュールと、
前記判断モジュールにより前記第２端末装置が前記ターゲット端末装置であることを確認した場合、前記第１端末装置に、前記ターゲット端末装置にローカルに記憶されている前記ターゲットユーザーのプロフィ―ル情報と前記ターゲットユーザーの紹介情報を含むユーザー情報が含まれている第３応答情報を送信するように構成された第１送信モジュールと、
を含み、
前記ユーザー情報を取得する装置は、
前記ターゲットユーザーのプロフィ―ル情報を取得するように構成された第１取得モジュールと、
予め設定した範囲内で前記第１取得モジュールにより取得された前記ターゲットユーザーのプロフィ―ル情報をブロードキャストするように構成された第２ブロードキャストサブモジュールと、
ターゲット端末装置からフィードバックされた、前記ターゲット端末装置にローカルに記憶されているユーザー情報が含まれている第３応答情報を受信するように構成された第４受信サブモジュールと、
前記ターゲット端末装置からフィードバックされた、前記ターゲットユーザーが前記ターゲットユーザーのユーザー情報を送信することを拒絶することを指示する第４応答情報を受信するように構成された第５受信サブモジュールと、
前記第１取得モジュールにより取得された、サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報を、サーバーに送信するように構成された第２送信サブモジュールと、
前記サーバーからフィードバックされた、前記ターゲットユーザーのユーザー情報を含む第１応答情報を受信するように構成された第６受信サブモジュールと、をさらに含み、
前記ターゲットユーザーに対応する前記ターゲット端末装置は前記予め設定した範囲内にあることを特徴とするユーザー情報を取得する装置。
【請求項１６】
前記判断モジュールにより、前記第２端末装置が前記ターゲット端末装置であり、前記ターゲットユーザーが前記第１端末装置に前記ターゲットユーザーのユーザー情報を送信することを拒絶することを確認した場合、前記第１端末装置に、前記ターゲットユーザーが前記第１端末装置に前記ユーザー情報を送信することを拒絶することを示す第４応答情報を送信するように構成された第２送信モジュール、
をさらに含むことを特徴とする、請求項１５に記載のユーザー情報を取得する装置。
【請求項１７】
第１端末装置である端末装置であって、
プロセッサと、
プロセッサにより実行可能なコマンドを記憶するメモリと、
を含み、
前記プロセッサは、
ターゲットユーザーのプロフィ―ル情報を取得し、
前記ターゲットユーザーのプロフィ―ル情報と前記ターゲットユーザーのユーザー情報を取得する方式を指示する少なくとも一つの取得戦略を含む予め設定した取得戦略集合とに基づいて、前記ターゲットユーザーのユーザー情報を取得するように構成され、
前記ターゲットユーザーのプロフィ―ル情報と予め設定した取得戦略集合とに基づいて、前記ターゲットユーザーのユーザー情報を取得することは、
予め設定した範囲内で前記ターゲットユーザーのプロフィ―ル情報をブロードキャストすることと、
ターゲット端末装置からフィードバックされた前記ターゲット端末装置にローカルに記憶されているユーザー情報を含む第３応答情報を受信することと、
を含み、
前記ターゲットユーザーに対応するターゲット端末装置は前記予め設定した範囲内にあり、
予め設定した範囲内で前記ターゲットユーザーのプロフィ―ル情報をブロードキャストした後、
前記ターゲット端末装置からフィードバックされた、前記ターゲットユーザーが前記ターゲットユーザーのユーザー情報を送信することを拒絶したことを示す第４応答情報を受信することと、
サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報を前記サーバーに送信することと、
前記サーバーからフィードバックされた、前記ターゲットユーザーのユーザー情報を含む第１応答情報を受信することと、
をさらに含むことを特徴とする端末装置。
【請求項１８】
第１端末装置から送信されるターゲットユーザーのプロフィ―ル情報を受信するように構成された受信機と、
サーバーに前記ターゲットユーザーのユーザー情報が含まれた場合、前記第１端末装置に前記ターゲットユーザーのユーザー情報を含む第１応答情報を送信するように構成された送信機と、
前記ターゲットユーザーのプロフィ―ル情報に基づいて、前記サーバーに、前記ターゲットユーザーのプロフィ―ル情報と紹介情報を含むユーザー情報が含まれているか否かを照会するように構成されたプロセッサ、及び
プロセッサにより実行可能なコマンドを記憶するメモリと、
を含み、
前記プロセッサは、
予め設定した範囲内で前記ターゲットユーザーのプロフィ―ル情報をブロードキャストし、
ターゲット端末装置からフィードバックされた前記ターゲット端末装置にローカルに記憶されているユーザー情報を含む第３応答情報を受信するように構成され、
前記ターゲットユーザーに対応するターゲット端末装置は前記予め設定した範囲内にあり、
予め設定した範囲内で前記ターゲットユーザーのプロフィ―ル情報をブロードキャストした後、
前記ターゲット端末装置からフィードバックされた、前記ターゲットユーザーが前記ターゲットユーザーのユーザー情報を送信することを拒絶したことを示す第４応答情報を受信することと、
前記サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報を前記サーバーに送信することと、
前記サーバーからフィードバックされた、前記ターゲットユーザーのユーザー情報を含む第１応答情報を受信することと、をさらに含むことを特徴とするサーバー。
【請求項１９】
第２端末装置である端末装置であって、
第１端末装置によりブロードキャストされたターゲットユーザーのプロフィ―ル情報を受信するように構成された受信機と、
前記第２端末装置がターゲット端末装置である場合、前記第１端末装置に、前記ターゲット端末装置にローカルに記憶されている前記ターゲットユーザーのプロフィ―ル情報と前記ターゲットユーザーの紹介情報を含むユーザー情報が含まれている第３応答情報を送信するように構成された送信機と、
前記ターゲットユーザーのプロフィ―ル情報と第２端末装置に記憶されているプロフィ―ル情報に基づいて、前記第２端末装置が前記ターゲットユーザーに対応するターゲット端末装置であるか否かを判断するように構成されたプロセッサ、及び
プロセッサにより実行可能なコマンドを記憶するメモリと、
を含み、
前記プロセッサは、
予め設定した範囲内で前記ターゲットユーザーのプロフィ―ル情報をブロードキャストし、
ターゲット端末装置からフィードバックされた前記ターゲット端末装置にローカルに記憶されているユーザー情報を含む第３応答情報を受信するように構成され、
前記ターゲットユーザーに対応するターゲット端末装置は前記予め設定した範囲内にあり、
予め設定した範囲内で前記ターゲットユーザーのプロフィ―ル情報をブロードキャストした後、
前記ターゲット端末装置からフィードバックされた、前記ターゲットユーザーが前記ターゲットユーザーのユーザー情報を送信することを拒絶したことを示す第４応答情報を受信することと、
サーバーが前記ターゲットユーザーのプロフィ―ル情報に基づいて前記サーバーに前記ターゲットユーザーのプロフィ―ル情報と紹介情報を含むユーザー情報が含まれているか否かを照会することを指示する前記ターゲットユーザーのプロフィ―ル情報を前記サーバーに送信することと、
前記サーバーからフィードバックされた、前記ターゲットユーザーのユーザー情報を含む第１応答情報を受信することと、をさらに含むことを特徴とする端末装置。
【発明の詳細な説明】
【技術分野】
【０００１】
本願は出願日が２０１５年１２月２８日であり、出願番号がＣＮ２０１５１１００１３５６．８である中国特許出願に基づいて提出され、該中国特許出願の優先権を主張し、該中国特許出願の全ての内容は、参照として本明細書に援用される。
【０００２】
本発明は通信技術分野に関し、特にユーザー情報を取得する方法および装置、端末装置並びにサーバーに関する。
【背景技術】
【０００３】
時代の発展に伴い、経済と社会環境の変化により人間同士の付き合いはより重要になってきており、ユーザーは絶えずに様々なユーザーと付き合いおよび情報交換をしなければ、自分を豊かにし、成長させることができなくなっている。このため、ユーザーは絶えずに自分の人脈を広げなければならない。
【０００４】
関連技術において、ユーザーＡがユーザーＢのユーザー情報を把握する必要がある場合、通常はまずユーザーＢの関連情報（例えば、名前等の情報）を把握してから、さらに、ユーザーＢの関連情報に基づいてネットワーク又はその他のルート（例えば、知人に尋ねる）を介してユーザーＢのその他のさらなる情報を取得する。
【発明の概要】
【発明が解決しようとする課題】
【０００５】
関連技術に存在する問題を解消するために、本発明はユーザー情報を取得する方法および装置、端末装置並びにサーバーを提供することを目的とする。
【課題を解決するための手段】
【０００６】
本発明の実施例に係る第１態様によれば、ユーザー情報を取得する方法であって、
ターゲットユーザーのプロフィ―ル情報を取得することと、
前記ターゲットユーザーのプロフィ―ル情報と前記ターゲットユーザーのユーザー情報を取得する方式を指示する少なくとも一つの取得戦略を含む予め設定した取得戦略集合とに基づいて、前記ターゲットユーザーのユーザー情報を取得することと、
を含む。
【０００７】
本発明の実施例により提供される技術的手段は、以下のような効果を奏する。ターゲットユーザーのプロフィ―ル情報を取得し、ターゲットユーザーのプロフィ―ル情報と予め設定した取得戦略集合とに基づいてターゲットユーザーのユーザー情報を取得することにより、正確なターゲットユーザーのユーザー情報を取得でき、ユーザーエクスペリエンスを向上させることができる。
【０００８】
さらに、前記ターゲットユーザーのプロフィ―ル情報と予め設定した取得戦略集合とに基づいて、前記ターゲットユーザーのユーザー情報を取得することは、
前記サーバーが前記ターゲットユーザーのプロフィ―ル情報に基づいて前記サーバーに、前記ターゲットユーザーの前記ユーザーのプロフィ―ル情報と紹介情報を含むユーザー情報が含まれているか否かを照会することを指示する前記ターゲットユーザーのプロフィ―ル情報をサーバーに送信することと、
前記サーバーからフィードバックされた前記ターゲットユーザーのユーザー情報を含む第１応答情報を受信することと、を含む。
【０００９】
さらに、前記ターゲットユーザーのプロフィ―ル情報をサーバーに送信した後、
前記サーバーからフィードバックされた前記サーバーに前記ターゲットユーザーのユーザー情報が含まれていないことを指示する第２応答情報を受信することと、
予め設定した範囲内で前記ターゲットユーザーのプロフィ―ル情報をブロードキャストすることと、
前記ターゲット端末装置からフィードバックされた前記ターゲット端末装置にローカルに記憶されているユーザー情報を含む第３応答情報を受信することと、をさらに含み、
前記ターゲットユーザーに対応するターゲット端末装置は前記予め設定した範囲内にある。
【００１０】
さらに、前記ターゲットユーザーのプロフィ―ル情報と予め設定した取得戦略集合とに基づいて、前記ターゲットユーザーのユーザー情報を取得することは、
予め設定した範囲内で前記ターゲットユーザーのプロフィ―ル情報をブロードキャストすることと、
前記ターゲット端末装置からフィードバックされた前記ターゲット端末装置にローカルに記憶されているユーザー情報を含む第３応答情報を受信することと、を含み、前記ターゲットユーザーに対応するターゲット端末装置は前記予め設定した範囲内にある。
【００１１】
さらに、予め設定した範囲内で前記ターゲットユーザーのプロフィ―ル情報をブロードキャストした後、
前記ターゲット端末装置からフィードバックされた、前記ターゲットユーザーが前記ターゲットユーザーのユーザー情報を送信することを拒絶したことを指示する第４応答情報を受信することと、
前記サーバーが前記ターゲットユーザーのプロフィ―ル情報に基づいて前記サーバーに、前記ターゲットユーザーの前記ユーザーのプロフィ―ル情報と紹介情報を含むユーザー情報が含まれているか否かを照会することを指示する前記ターゲットユーザーのプロフィ―ル情報をサーバーに送信することと、
前記サーバーからフィードバックされた、前記ターゲットユーザーのユーザー情報を含む第１応答情報を受信することと、をさらに含む。
【００１２】
本発明の実施例により提供される技術的手段は、以下のような効果を奏する。サーバーによってターゲットユーザーのユーザー情報を取得する方式と、ターゲットユーザーのプロフィ―ル情報をブロードキャストすることによってターゲットユーザーのユーザー情報を取得する方式とを組み合わせて、ターゲットユーザーのユーザー情報を取得することにより、正確なターゲットユーザーのユーザー情報を取得でき、ユーザーエクスペリエンスを向上することができる。
【００１３】
本発明の実施例に係る第２態様によれば、ユーザー情報を取得する方法であって、
第１端末装置から送信されたターゲットユーザーのプロフィ―ル情報を受信することと、
前記ターゲットユーザーのプロフィ―ル情報に基づいてサーバーに、前記ターゲットユーザーの前記ユーザーのプロフィ―ル情報と紹介情報を含むユーザー情報が含まれているか否かを照会することと、
前記サーバーに前記ターゲットユーザーのユーザー情報が含まれる場合、前記第１端末装置に前記ターゲットユーザーのユーザー情報を含む第１応答情報を送信することと、を含む。
【００１４】
さらに、前記ターゲットユーザーのプロフィ―ル情報に基づいて、サーバーに前記ターゲットユーザーのユーザー情報が含まれているか否かを照会した後、
前記サーバーに前記ターゲットユーザーのユーザー情報が含まれていない場合、前記第１端末装置に、前記サーバーに前記ターゲットユーザーのユーザー情報が含まれていないことを指示する第２応答情報を送信することをさらに含む。
【００１５】
さらに、前記第１端末装置から送信されたターゲットユーザーのプロフィ―ル情報を受信する前に、
少なくとも一つのユーザーのユーザー情報を取得し、記憶することをさらに含む。
【００１６】
本発明の実施例により提供される技術的手段は、以下のような効果を奏する。第１端末装置から送信されたターゲットユーザーのプロフィ―ル情報を受信し、ターゲットユーザーのプロフィ―ル情報に基づいてサーバーにターゲットユーザーのユーザー情報が含まれているか否かを照会し、サーバーにターゲットユーザーのユーザー情報が含まれる場合、第１端末装置にターゲットユーザーのユーザー情報が含まれる第１応答情報を送信することにより、第１端末装置は正確なターゲットユーザーのユーザー情報を取得でき、ユーザーエクスペリエンスを向上させることができる。
【００１７】
本発明の実施例の第３態様によれば、ユーザー情報を取得する方法であって、
第１端末装置によりブロードキャストされたターゲットユーザーのプロフィ―ル情報を受信することと、
前記ターゲットユーザーのプロフィ―ル情報と第２端末装置に記憶されているプロフィ―ル情報に基づいて、前記第２端末装置が前記ターゲットユーザーに対応するターゲット端末装置であるか否かを判断することと、
前記第２端末装置が前記ターゲット端末装置である場合、前記第１端末装置に、前記ターゲット端末装置にローカルに記憶されている前記ターゲットユーザーのプロフィ―ル情報と前記ターゲットユーザーの紹介情報を含むユーザー情報が含まれる第３応答情報を送信することと、を含む。
【００１８】
さらに、前記ターゲットユーザーのプロフィ―ル情報と第２端末装置に記憶されているプロフィ―ル情報とに基づいて前記第２端末装置が前記ターゲットユーザーに対応するターゲット端末装置であるか否かを判断した後、
前記第２端末装置が前記ターゲット端末装置であり、前記ターゲットユーザーが前記第１端末装置に前記ターゲットユーザーのユーザー情報を送信することを拒絶する場合、前記第１端末装置に、前記ターゲットユーザーが前記第１端末装置に前記ユーザー情報を送信することを拒絶することを指示する第４応答情報を送信することをさらに含む。
【００１９】
本発明の実施例により提供される技術的手段は、以下のような効果を奏する。第１端末装置によりブロードキャストされたターゲットユーザーのプロフィ―ル情報を受信し、ターゲットユーザーのプロフィ―ル情報と第２端末装置に記憶されたプロフィ―ル情報とに基づいて、第２端末装置がターゲットユーザーに対応するターゲット端末装置であるか否かを判断し、第２端末装置がターゲット端末装置である場合、第１端末装置にターゲット端末装置にローカルに記憶されたユーザー情報の第３応答情報を送信することにより、第１端末装置は正確なターゲットユーザーのユーザー情報を取得でき、ユーザーエクスペリエンスを向上させることができる。
【００２０】
本発明の実施例の第４態様によれば、ユーザー情報を取得する装置であって、
ターゲットユーザーのプロフィ―ル情報を取得するように構成された第１取得モジュールと、
前記第１取得モジュールにより取得された前記ターゲットユーザーのプロフィ―ル情報と少なくとも一つの前記ターゲットユーザーのユーザー情報を取得する方式を指示する取得戦略を含む予め設定した取得戦略集合とに基づいて、前記ターゲットユーザーのユーザー情報を取得するように構成された第２取得モジュールと、を含む。
【００２１】
さらに、前記第２取得モジュールは、
前記第１取得モジュールにより取得された、前記サーバーが前記ターゲットユーザーのプロフィ―ル情報に基づいて前記サーバーに前記ターゲットユーザーの前記ユーザーのプロフィ―ル情報と紹介情報を含むユーザー情報が含まれているか否かを照会することを指示する前記ターゲットユーザーのプロフィ―ル情報を、サーバーに送信するように構成された第１送信サブモジュールと、
前記サーバーからフィードバックされた、前記ターゲットユーザーのユーザー情報が含まれた第１応答情報を受信するように構成された第１受信サブモジュールと、を含む。
【００２２】
さらに、前記第２取得モジュールは、
前記サーバーからフィードバックされた、前記サーバーに前記ターゲットユーザーのユーザー情報が含まれていないことを指示する第２応答情報を受信するように構成された第２受信サブモジュールと、
予め設定した範囲内で前記第１取得モジュールにより取得された前記ターゲットユーザーのプロフィ―ル情報をブロードキャストするように構成された第１ブロードキャストサブモジュールと、
前記ターゲット端末装置からフィードバックされた、前記ターゲット端末装置にローカルに記憶されているユーザー情報が含まれている第３応答情報を受信するように構成された第３受信サブモジュールと、をさらに含み、前記ターゲットユーザーに対応するターゲット端末装置は前記予め設定した範囲内にある。
【００２３】
さらに、前記第２取得モジュールは、
予め設定した範囲内で前記第１取得モジュールにより取得された前記ターゲットユーザーのプロフィ―ル情報をブロードキャストするように構成された第２ブロードキャストサブモジュールと、
前記ターゲット端末装置からフィードバックされた、前記ターゲット端末装置にローカルに記憶されているユーザー情報が含まれている第３応答情報を受信するように構成された第４受信サブモジュールと、を含み、前記ターゲットユーザーに対応するターゲット端末装置は前記予め設定した範囲内にある。
【００２４】
さらに、前記第２取得モジュールは、
前記ターゲット端末装置からフィードバックされた、前記ターゲットユーザーが前記ターゲットユーザーのユーザー情報を送信することを拒絶することを指示する第４応答情報を受信するように構成された第５受信サブモジュールと、
前記第１取得モジュールにより取得された、前記サーバーが前記ターゲットユーザーのプロフィ―ル情報に基づいて前記サーバーに前記ターゲットユーザーの前記ユーザーのプロフィ―ル情報と紹介情報を含むユーザー情報が含まれているか否かを照会することを指示する前記ターゲットユーザーのプロフィ―ル情報を、サーバーに送信するように構成された第２送信サブモジュールと、
前記サーバーからフィードバックされた、前記ターゲットユーザーのユーザー情報を含む第１応答情報を受信するように構成された第６受信サブモジュールと、をさらに含む。
【００２５】
本発明の実施例の第５態様によれば、ユーザー情報を取得する装置であって、
第１端末装置から送信されたターゲットユーザーのプロフィ―ル情報を受信するように構成された受信モジュールと、
前記受信モジュールにより受信された前記ターゲットユーザーのプロフィ―ル情報に基づいて、サーバーに前記ターゲットユーザーの前記ユーザーのプロフィ―ル情報と紹介情報を含むユーザー情報が含まれているか否かを照会するように構成された照会モジュールと、
前記照会モジュールにより前記サーバーに前記ターゲットユーザーのユーザー情報が含まれていることを確認した場合、前記第１端末装置に前記ターゲットユーザーのユーザー情報を含む第１応答情報を送信するように構成された第１送信モジュールと、を含む。
【００２６】
さらに、前記装置は、
前記照会モジュールにより前記サーバーに前記ターゲットユーザーのユーザー情報が含まれていないことを確認した場合、前記第１端末装置に、前記サーバーに前記ターゲットユーザーのユーザー情報が含まれていないことを指示する第２応答情報を送信するように構成された第２送信モジュールと、をさらに含む。
【００２７】
さらに、前記装置は、
少なくとも一つのユーザーのユーザー情報を取得し、記憶するように構成された取得モジュールをさらに含む。
【００２８】
本発明の実施例の第６態様によれば、ユーザー情報を取得する装置であって、
第１端末装置によりブロードキャストされたターゲットユーザーのプロフィ―ル情報を受信するように構成された受信モジュールと、
前記受信モジュールにより受信された前記ターゲットユーザーのプロフィ―ル情報と第２端末装置に記憶されているプロフィ―ル情報に基づいて、前記第２端末装置が前記ターゲットユーザーに対応するターゲット端末装置であるか否かを判断するように構成された判断モジュールと、
前記判断モジュールにより前記第２端末装置が前記ターゲット端末装置であることを確認した場合、前記第１端末装置に、前記ターゲット端末装置にローカルに記憶されている前記ターゲットユーザーのプロフィ―ル情報と前記ターゲットユーザーの紹介情報を含むユーザー情報が含まれている第３応答情報を送信するように構成された第１送信モジュールと、を含む。
【００２９】
さらに、前記装置は、
前記判断モジュールにより、前記第２端末装置が前記ターゲット端末装置であり、前記ターゲットユーザーが前記第１端末装置に前記ターゲットユーザーのユーザー情報を送信することを拒絶することを確認した場合、前記第１端末装置に、前記ターゲットユーザーが前記第１端末装置に前記ユーザー情報を送信することを拒絶することを指示する第４応答情報を送信するように構成された第２送信モジュールをさらに含む。
【００３０】
本発明の実施例の第７態様によれば、第１端末装置であり、プロセッサと、プロセッサの実行可能なコマンドを記憶するメモリとを含む端末装置を提供する。
【００３１】
前記プロセッサは、
ターゲットユーザーのプロフィ―ル情報を取得し、
前記ターゲットユーザーのプロフィ―ル情報と少なくとも一つの前記ターゲットユーザーのユーザー情報を取得する方式を指示する取得戦略を含む予め設定した取得戦略集合とに基づいて、前記ターゲットユーザーのユーザー情報を取得するように構成される。
【００３２】
本発明の実施例の第８態様によれば、サーバーであって、
第１端末装置から送信されるターゲットユーザーのプロフィ―ル情報を受信するように構成された受信機と、
前記サーバーに前記ターゲットユーザーのユーザー情報が含まれた場合、前記第１端末装置に前記ターゲットユーザーのユーザー情報を含む第１応答情報を送信するように構成された送信機と、
前記ターゲットユーザーのプロフィ―ル情報に基づいて、前記サーバーに、前記ターゲットユーザーの前記ユーザーのプロフィ―ル情報と紹介情報を含むユーザー情報が含まれているか否かを照会するように構成されたプロセッサ、及び
プロセッサにより実行可能なコマンドを記憶するメモリと、
を含む。
【００３３】
本発明の実施例の第９態様によれば、端末装置であって、
第２端末装置であり、受信機、送信機、プロセッサ及びプロセッサにより実行可能なコマンドを記憶するメモリを含む。
【００３４】
前記受信機は、第１端末装置によりブロードキャストされたターゲットユーザーのプロフィ―ル情報を受信するように構成され、
前記プロセッサは、前記ターゲットユーザーのプロフィ―ル情報と第２端末装置に記憶されているプロフィ―ル情報に基づいて、前記第２端末装置が前記ターゲットユーザーに対応するターゲット端末装置であるか否かを判断するように構成され、
前記送信機は、前記第２端末装置が前記ターゲット端末装置である場合、前記第１端末装置に、前記ターゲット端末装置にローカルに記憶されている前記ターゲットユーザーのプロフィ―ル情報と前記ターゲットユーザーの紹介情報を含むユーザー情報が含まれている第３応答情報を送信するように構成される。
【発明の効果】
【００３５】
本発明の実施例により提供される技術的手段は、以下のような効果を奏する。ユーザー情報を取得する方法および装置、端末装置並びにサーバーを提供し、ターゲットユーザーのプロフィ―ル情報を取得し、サーバーによってターゲットユーザーのユーザー情報を取得する方式と、ターゲットユーザーのプロフィ―ル情報をブロードキャストすることによってターゲットユーザーのユーザー情報を取得する方式とを組み合わせることにより、ターゲットユーザーのユーザー情報を取得することにより、正確なターゲットユーザーのユーザー情報を取得でき、ユーザーエクスペリエンスを向上させる。
【００３６】
以上の一般的な説明と後述の詳細な説明は、例示的且つ解釈的なものに過ぎず、本発明を限定するものではないことを理解すべきである。
【図面の簡単な説明】
【００３７】
添付の図面は、明細書に組み入れられて、本明細書の一部を構成し、本発明に適合する実施例を示し、明細書と共に本発明の原理を解釈するのに用いられる。
【００３８】
【図１Ａ】一例示的な実施例によるユーザー情報を取得する方法のフローチャートである。
【図１Ｂ】一例示的な実施例によるユーザー情報を取得する方法の応用シーンを示す図である。
【図１Ｃ】図１Ａの例示的な実施例を実行する場合に取得したターゲットユーザーのユーザー情報のインタフェースを示す図である。
【図２Ａ】他の例示的な実施例によるユーザー情報を取得する方法のフローチャートである。
【図２Ｂ】図２Ａの例示的な実施例を実行する場合のインタフェースを示す図である。
【図２Ｃ】図２Ａの例示的な実施例を実行する場合のインタフェースを示す図である。
【図２Ｄ】図２Ａの例示的な実施例を実行する場合のインタフェースを示す図である。
【図３Ａ】他の例示的な実施例によるユーザー情報を取得する方法のフローチャートである。
【図３Ｂ】図３Ａの例示的な実施例を実行する場合のインタフェースを示す図である。
【図３Ｃ】図３Ａの例示的な実施例を実行する場合のインタフェースを示す図である。
【図３Ｄ】図３Ａの例示的な実施例を実行する場合のインタフェースを示す図である。
【図４】他の例示的な実施例によるユーザー情報を取得する方法のフローチャートである。
【図５Ａ】他の例示的な実施例によるユーザー情報を取得する方法のフローチャートである。
【図５Ｂ】図５Ａの例示的な実施例を実行する場合のインタフェースを示す図である。
【図６】一例示的な実施例によるユーザー情報を取得する装置の実施例１のブロック図である。
【図７】一例示的な実施例によるユーザー情報を取得する装置の実施例２のブロック図である。
【図８】一例示的な実施例によるユーザー情報を取得する装置の実施例３のブロック図である。
【図９】一例示的な実施例による端末装置の実体のブロック図１である。
【図１０】一例示的な実施例による端末装置１２００のブロック図である。
【図１１】一例示的な実施例によるユーザー情報を取得する装置の実施例４のブロック図である。
【図１２】一例示的な実施例によるユーザー情報を取得する装置の実施例５のブロック図である。
【図１３】一例示的な実施例によるサーバーの実体のブロック図である。
【図１４】一例示的な実施例によるサーバー１９００のブロック図である。
【図１５】一例示的な実施例によるユーザー情報を取得する装置の実施例６のブロック図である。
【図１６】一例示的な実施例によるユーザー情報を取得する装置の実施例７のブロック図である。
【図１７】一例示的な実施例による端末装置の実体のブロック図二である。
【発明を実施するための形態】
【００３９】
上記の図面により、本発明の実施例は既に明確に示されているが、以下ではさらに詳しく説明する。これらの図面および文字説明はいずれの方式により本発明の技術的思想の範囲を限定するものではなく、特定な実施例を参照することによって当業者に本発明の概念を説明するためのものである。
【００４０】
以下、例示的な実施例について詳しく説明する。また、その実例は図面に示されている。以下、図面に関わる説明において、特別な説明がない限り、異なる図面における同じ符号は、同一又は類似の要素を示している。以下の例示的な実施例において説明される実施形態は、本発明と一致する全ての実施形態を代表するわけではない。逆に、それらは特許請求の範囲に詳しく記載された本発明の一部の態様と一致する装置と方法の例に過ぎない。
【００４１】
図１Ａは一例示的な実施例によるユーザー情報を取得する方法のフローチャートであり、図１Ｂは一例示的な実施例によるユーザー情報を取得する方法の応用シーンを示す図である。図１Ｃは、図１Ａの例示的な実施例を実行する場合に取得したターゲットユーザーのユーザー情報のインタフェースを示す図である。図１Ａに示すように、該ユーザー情報を取得する方法は、様々な端末装置におけるプロフィ―ル情報に基づくユーザー認識ソフトウェアに応用でき、プロフィ―ル情報に基づいてターゲットユーザーのユーザー情報を取得することを実現する。本実施例に係るユーザー情報を取得する方法は、以下のステップを含む。
【００４２】
ステップＳ１０１において、ターゲットユーザーのプロフィ―ル情報を取得する。
【００４３】
本ステップにおいて、好ましくは、図１Ｂに示すように、端末装置を持つユーザーＡがある場面においてある人（即ち、ターゲットユーザー）に出会いたいと思う場合、端末装置がプロフィ―ル情報に基づくユーザー認識ソフトウェアを始動するように操作された後、ターゲットユーザーに面してユーザー認識ソフトウェアのプロフィ―ルキャッチ機能によって唯一にターゲットユーザーを標識することができるターゲットユーザーのプロフィ―ル情報を取得する。好ましくは、端末装置のカメラによってターゲットユーザーのプロフィ―ル情報をキャッチする。好ましくは、端末装置がプロフィ―ル情報に基づくユーザー認識ソフトウェアを始動するように操作された後、端末装置を持つユーザーＡはさらに通信ソフトウェア（例えば、ウィーチャット又はＱＱ等）によって知りたい人（即ち、ターゲットユーザー）も確定できる場合、端末装置はターゲットユーザーのプロフィ―ル情報を記憶する（ターゲットユーザーは通信ソフトウェアにおいてプロフィ―ル情報を既に開示している）。当然ながら、その他の方式によりターゲットユーザーのプロフィ―ル情報を取得することもでき、本発明の実施例はこれを限定しない。
【００４４】
ステップＳ１０２において、ターゲットユーザーのプロフィ―ル情報と予め設定した取得戦略集合とに基づいて、ターゲットユーザーのユーザー情報を取得する。
【００４５】
本ステップにおいて、ユーザーのプロフィ―ル情報によってユーザーを唯一に標識できるため、ターゲットユーザーのプロフィ―ル情報を取得した後、端末装置はターゲットユーザーのプロフィ―ル情報と予め設定した取得戦略集合とに基づいて、ターゲットユーザーのユーザー情報を取得する。好ましくは、予め設定した取得戦略集合は少なくとも一つの取得戦略を含み、それぞれの取得戦略はターゲットユーザーのユーザー情報を取得する方式（即ち、どのようにターゲットユーザーのプロフィ―ル情報に基づいてターゲットユーザーのユーザー情報を取得する方式）の指示に用いられる。好ましくは、図１Ｂに示すように、端末装置がプロフィ―ル情報に基づくユーザー認識ソフトウェアを始動するように操作された後、ターゲットユーザーのプロフィ―ル情報に基づいてサーバー（例えば、クラウドサーバー）からターゲットユーザーのユーザー情報を取得する（例えば、取得戦略１）、予め設定した範囲内でターゲットユーザーのプロフィ―ル情報をブロードキャストする方式によりターゲットユーザーのユーザー情報を取得する（例えば、取得戦略２）、又は両者を組み合わせる方式によりターゲットユーザーのユーザー情報を取得することができる（例えば、取得戦略３）。もちろん、その他の方式によってターゲットユーザーのユーザー情報を取得することもでき、本発明の実施例はこれを限定しない。
【００４６】
好ましくは、図１Ｃに示すように、ステップＳ１０２によって取得したユーザー情報は、ターゲットユーザーのプロフィ―ル情報とユーザーの紹介情報、例えば、ユーザーの名称又はニックネーム、連絡方法（例えば、ウィーチャットアカウント、ＱＱアカウント又はブログアカウント等の連絡方法）及びその他の関連する記述情報等を含み、ユーザーＡが紹介情報に基づいてターゲットユーザーと連絡する。ここで、ステップＳ１０２によって取得したターゲットユーザーのプロフィ―ル情報と端末装置がステップＳ１０１において取得したプロフィ―ル情報とは記述方式が異なりうるが、いずれもターゲットユーザーを唯一に標識できるため、例えば、この二つのプロフィ―ル情報はそれぞれターゲットユーザーの異なる時刻に対応するプロフィ―ル情報であり、いずれもターゲットユーザーを唯一に標識する。
【００４７】
本実施例に係るユーザー情報を取得する方法では、ターゲットユーザーのプロフィ―ル情報を取得し、さらにターゲットユーザーのプロフィ―ル情報と予め設定した取得戦略集合とに基づいて、ターゲットユーザーのユーザー情報を取得する。したがって、正確なターゲットユーザーのユーザー情報を取得でき、ユーザーエクスペリエンスを向上させることができる。
【００４８】
図２Ａは他の例示的な実施例によるユーザー情報を取得する方法のフローチャートであり、図２Ｂ−図２Ｄは図２Ａの例示的な実施例を実行する場合のインタフェースを示す図である。上述した実施例をもとに、図２Ａに示すように、上記ステップＳ１０２は、具体的には以下のステップを含む。
【００４９】
ステップＳ２０１において、ターゲットユーザーのプロフィ―ル情報をサーバーに送信する。ターゲットユーザーのプロフィ―ル情報は、サーバーの指示に用いられ、サーバーがターゲットユーザーのプロフィ―ル情報に基づいてサーバーにターゲットユーザーのプロフィ―ル情報と紹介情報を含むユーザー情報が含まれているか否かを照会するよう指示する。
【００５０】
一般的に、サーバーにはユーザーのプロフィ―ル情報と紹介情報等を含みうる少なくとも一つのユーザーのユーザー情報（該ユーザーが開示したがる情報）が記憶されている。本ステップにおいて、端末装置がプロフィ―ル情報に基づくユーザー認識ソフトウェアを始動するように操作された後、ステップＳ１０１から取得した、サーバーがターゲットユーザーのプロフィ―ル情報に基づいてサーバーにターゲットユーザーのユーザー情報が含まれているか否かを照会することを指示するターゲットユーザーのプロフィ―ル情報をサーバーに送信する（図２Ｂに示すように、「ターゲットユーザーのプロフィ―ル情報をサーバーに送信する選択ボックス」をクリックし、「確定」ボタンをクリックする）。サーバーにターゲットユーザーのユーザー情報が記憶されている場合、端末装置にターゲットユーザーのユーザー情報を含む第１応答情報を送信し、これに応じて、端末装置はステップＳ２０２を実行する。一方、サーバーにターゲットユーザーのユーザー情報が記憶されていない場合、端末装置にサーバーにターゲットユーザーのユーザー情報が含まれていないことを指示する第２応答情報を送信し、これに応じて、端末装置はステップＳ２０３を実行する。
【００５１】
ステップＳ２０２において、サーバーからフィードバックされたターゲットユーザーのユーザー情報が含まれている第１応答情報を受信する（図２Ｃを参照）。
【００５２】
ステップＳ２０３において、サーバーからフィードバックされた、サーバーにターゲットユーザーのユーザー情報が含まれていないことを指示する第２応答情報を受信する。
【００５３】
端末装置によりサーバーからターゲットユーザーのユーザー情報を取得しなかった後、さらに、端末装置は予め設定した範囲内でターゲットユーザーのプロフィ―ル情報をブロードキャストする方式によりターゲットユーザーのユーザー情報を取得することができ（図２Ｄに示すように、「ターゲットユーザーのプロフィ―ル情報をブロードキャストする選択ボックス」をクリックし、「確定」ボタンをクリックする）、具体的なステップは以下の通りである。
【００５４】
ステップＳ２０４において、予め設定した範囲内でターゲットユーザーのプロフィ―ル情報をブロードキャストする。
【００５５】
ここで、ターゲットユーザーに対応するターゲット端末装置は予め設定した範囲内にある。
【００５６】
本ステップにおいて、端末装置（わかりやすく説明するため、以下、該端末装置を「第１端末装置」と称する）は予め設定した範囲内でターゲットユーザーのプロフィ―ル情報をブロードキャストする（好ましくは、プロフィ―ル情報に基づくユーザー認識ソフトウェアはブロードキャスト機能を含む）。好ましくは、予め設定した範囲内でターゲットユーザーのプロフィ―ル情報を受信できる端末装置（わかりやすく説明するため、以下、このような端末装置を「第２端末装置」と称する）がターゲットユーザーのプロフィ―ル情報と第２端末装置に記憶されているプロフィ―ル情報（該プロフィ―ル情報は唯一に第２端末装置を携帯するユーザーを標識する）とに基づいて第２端末装置がターゲットユーザーに対応するターゲット端末装置であるか否か、即ち、ターゲットユーザーのプロフィ―ル情報と第２端末装置に記憶されているプロフィ―ル情報が同一ユーザーを標識するか否かを判断するように、ブルートゥース設備又はＷｉＦｉ等の方式によって予め設定した範囲内でステップＳ１０１において取得したターゲットユーザーのプロフィ―ル情報をブロードキャストする。ターゲットユーザーのプロフィ―ル情報と第２端末装置に記憶されているプロフィ―ル情報が同一のユーザーを標識する（即ち、第２端末装置がターゲット端末装置である）場合、第１端末装置にターゲット端末装置にローカルに記憶されているユーザー情報（即ち、ターゲットユーザーのユーザー情報）を含む第３応答情報を送信し、これに応じて、端末装置はステップＳ２０５を実行する。好ましくは、第２端末装置にはその他の端末装置に応答して第２端末装置に対応するユーザー（即ち、第２端末装置を携帯するユーザー）を含むユーザー情報（即ち、第１端末装置により第２端末装置に第２端末装置のユーザーのプロフィ―ル情報を送信する時、第２端末装置は第１端末装置にユーザー情報を含む応答情報を自動的にフィードバックする）が予め設置され、又は、第２端末装置により第１端末に第３応答情報を送信する前に、さらに、第２端末装置が第２端末装置に対応するユーザーに、第１端末装置から送信された請求に基づいて取得したユーザーのユーザー情報を、第１端末装置に送信することを許可するか否かを注意喚起することを含む。ユーザーが第１端末装置に送信することを許可する場合、第２端末装置は第１端末装置に第３応答情報を送信する。一方、ユーザーが第１端末装置に送信することを拒絶する場合、第２端末装置は第１端末装置に、第２端末装置に対応するユーザー（即ち、ターゲットユーザー）に第１端末装置にユーザー情報を送信することを拒絶することを指示する第４応答情報を送信する。
【００５７】
好ましくは、ターゲットユーザーのプロフィ―ル情報と第２端末装置に記憶されているいずれのプロフィ―ル情報により標識されるものがいずれも同一のユーザーでない（即ち、第２端末装置がターゲット端末装置でない）場合、第２端末装置は第１端末装置に如何なる応答情報も送信しない。
【００５８】
ステップＳ２０５において、ターゲット端末装置からフィードバックされたターゲット端末装置にローカルに記憶されているユーザー情報を含む第３応答情報を受信する。
【００５９】
好ましくは、本実施例において、第１端末装置がサーバーから取得したターゲットユーザーのユーザー情報量が足りない場合、さらに、第１端末装置は予め設定した範囲内でターゲットユーザーのプロフィ―ル情報をブロードキャストする方式によってターゲットユーザーの更なるユーザー情報を取得することができる。具体的には上記ステップＳ２０４に関する説明を参照でき、ここでは説明を省略する。
【００６０】
好ましくは、ステップＳ２０１において、サーバーが解読されたターゲットユーザーのプロフィ―ル情報に基づいてサーバーにターゲットユーザーのユーザー情報が含まれているか否かを照会するように、暗号化されたターゲットユーザーのプロフィ―ル情報（即ち、ステップＳ１０１において取得したターゲットユーザーのプロフィ―ル情報を暗号化し、暗号化されたターゲットユーザーのプロフィ―ル情報を取得する）をサーバーに送信する。好ましくは、ステップＳ２０４において、予め設定した範囲内で暗号化されたターゲットユーザーのプロフィ―ル情報をブロードキャストする。
【００６１】
本実施例に係るユーザー情報を取得する方法では、サーバーによってターゲットユーザーのユーザー情報を取得する方式と、ターゲットユーザーのプロフィ―ル情報をブロードキャストすることによってターゲットユーザーのユーザー情報を取得する方式とを組み合わせる方式によって、ターゲットユーザーのユーザー情報を取得する。したがって、正確なターゲットユーザーのユーザー情報を取得でき、ユーザーエクスペリエンスを向上させることができる。
【００６２】
図３Ａは他の一例示的な実施例によるユーザー情報を取得する方法のフローチャートであり、図３Ｂ−図３Ｄは図３Ａの例示的な実施例を実行する場合のインタフェースを示す図である。上述した実施例をもとに、図３Ａに示すように、上記ステップＳ１０２は、具体的には以下のステップを含む。
【００６３】
ステップＳ３０１において、予め設定した範囲内でターゲットユーザーのプロフィ―ル情報をブロードキャストする。
【００６４】
ここで、ターゲットユーザーに対応するターゲット端末装置は予め設定した範囲内にある。
【００６５】
本ステップにおいて、端末装置（わかりやすく説明するため、以下、該端末装置を「第１端末装置」と称する）は予め設定した範囲内でターゲットユーザーのプロフィ―ル情報をブロードキャストする（図３Ｂ示すように、「ターゲットユーザーのプロフィ―ル情報をブロードキャストする選択ボックス」をクリックし、「確定」ボタンをクリックし、好ましくは、プロフィ―ル情報に基づくユーザー認識ソフトウェアはブロードキャスト機能を含む）。好ましくは、予め設定した範囲内でターゲットユーザーのプロフィ―ル情報を受信できる端末装置（わかりやすく説明するため、以下、該端末装置を「第２端末装置」と称する）が、ターゲットユーザーのプロフィ―ル情報と第２端末に記憶されているプロフィ―ル情報（該プロフィ―ル情報は第２端末装置を携帯するユーザーを唯一に標識する）とに基づいて、第２端末装置がターゲットユーザーに対応するターゲット端末装置であるか否かを判断するように、ブルートゥース設備又はＷｉＦｉ等の方式により予め設定した範囲内でステップＳ１０１において取得したターゲットユーザーのプロフィ―ル情報をブロードキャストする。第２端末装置がターゲット端末装置である場合、第１端末装置にターゲット端末装置にローカルに記憶されているユーザー情報（即ち、ターゲットユーザーのユーザー情報）を含む第３応答情報を送信し、これに応じて、端末装置はステップＳ３０２を実行する。好ましくは、第２端末装置は、その他の端末装置に応答して自身を含むユーザー情報（即ち、第１端末装置が第２端末装置に第２端末装置のユーザーのプロフィ―ル情報を送信する時、第２端末装置は第１設備に自身を含むユーザー情報を自動的にフィードバックする）が予め設置され、又は、第２端末装置が第１端末装置に第３応答情報を送信する前に、第２端末装置が第２端末のユーザーに、第１端末装置から送信された請求に基づいて取得したユーザーのユーザー情報を、第１端末装置に送信することを許可するか否かを注意喚起することをさらに含む。ユーザーが第１端末装置に送信することを許可する場合、第２端末装置により記第１端末装置に第３応答情報を送信する。一方、ユーザーが第１端末装置に送信することを拒絶した場合、第２端末装置により第１端末装置に第２端末装置のユーザー（即ち、ターゲットユーザー）に、第１端末装置にユーザー情報を送信することを拒絶することを指示する第４応答情報を送信し、これに応じて、端末装置はステップＳ３０３を実行する。
【００６６】
ステップＳ３０２において、ターゲット端末装置からフィードバックされたターゲット端末装置にローカルに記憶されているユーザー情報を含む第３応答情報（図３Ｃに示すように）を受信する。
【００６７】
ステップＳ３０３において、ターゲット端末装置からフィードバックされた、ターゲットユーザーにターゲットユーザーのユーザー情報を送信することを拒絶することを指示する第４応答情報を受信する。
【００６８】
第１端末装置がターゲットユーザーのプロフィ―ル情報をブロードキャストする方式によってターゲットユーザーのユーザー情報を取得できなかった後、さらに、端末装置はサーバーによってターゲットユーザーのユーザー情報を取得することができ（図３Ｄに示すように、「ターゲットユーザーのプロフィ―ル情報をサーバーに送信する選択ボックス」をクリックし、「確定」ボタンをクリックする）、具体的なステップは以下の通りである。
【００６９】
ステップＳ３０４において、ターゲットユーザーのプロフィ―ル情報をサーバーに送信する。ターゲットユーザーのプロフィ―ル情報は、サーバーの指示に用いられ、サーバーにターゲットユーザーのプロフィ―ル情報に基づいてサーバーにターゲットユーザーのプロフィ―ル情報と紹介情報を含むユーザー情報が含まれているか否かを照会するよう指示する。
【００７０】
一般的に、サーバーにはユーザーのプロフィ―ル情報とユーザーの紹介情報等を含みうる少なくとも一つのユーザーのユーザー情報（該ユーザーが開示したがる情報）が記憶されている。本ステップにおいて、端末装置がプロフィ―ル情報に基づくユーザー認識ソフトウェアを始動するように操作された後、サーバーがターゲットユーザーのプロフィ―ル情報に基づいてサーバーにターゲットユーザーのユーザー情報が含まれているか否かを照会するように、ステップＳ１０１から取得したターゲットユーザーのプロフィ―ル情報をサーバーに送信する。サーバーにターゲットユーザーのユーザー情報が記憶されている場合、端末装置にターゲットユーザーのユーザー情報を含む第１応答情報を送信し、これに応じて、端末装置はステップＳ３０５を実行する。一方、サーバーにターゲットユーザーのユーザー情報が記憶されていない場合、端末装置に、サーバーにターゲットユーザーのユーザー情報が含まれていないことを指示する第２応答情報を送信する。
【００７１】
ステップＳ３０５において、サーバーからフィードバックされたターゲットユーザーのユーザー情報を含む第１応答情報を受信する。
【００７２】
好ましくは、ステップＳ３０１において、予め設定した範囲内で暗号化されたターゲットユーザーのプロフィ―ル情報をブロードキャストする（即ち、ステップＳ１０１において取得したターゲットユーザーのプロフィ―ル情報を暗号化し、暗号化されたターゲットユーザーのプロフィ―ル情報を取得する）。好ましくは、ステップＳ３０４において、サーバーが解読されたターゲットユーザーのプロフィ―ル情報に基づいてサーバーにターゲットユーザーのユーザー情報が含まれているか否かを照会するように、暗号化されたターゲットユーザーのプロフィ―ル情報をサーバーに送信することができる。
【００７３】
本実施例に係るユーザー情報を取得する方法では、ターゲットユーザーのプロフィ―ル情報をブロードキャストしてターゲットユーザーのユーザー情報を取得する方式と、サーバーによってターゲットユーザーのユーザー情報を取得する方式とを組み合わせる方式によって、ターゲットユーザーのユーザー情報を取得する。したがって、正確なターゲットユーザーのユーザー情報を取得でき、ユーザーエクスペリエンスを向上させることができる。
【００７４】
図４は他の一例示的な実施例によるユーザー情報を取得する方法のフローチャートであり、該ユーザー情報を取得する方法はサーバーに応用され、プロフィ―ル情報に基づくユーザー認識ソフトウェアがインストールされた様々な端末装置にターゲットユーザーのユーザー情報を提供することができる。図４に示すように、上記の図１Ａ−図３Ａに示された実施例をもとに、サーバー側の処理ステップに対して詳しく説明する。
【００７５】
ステップＳ４０１において、第１端末装置から送信されたターゲットユーザーのプロフィ―ル情報を受信し、
ステップＳ４０２において、ターゲットユーザーのプロフィ―ル情報に基づいて、サーバーにターゲットユーザーのユーザーのプロフィ―ル情報と紹介情報を含むユーザー情報が含まれているか否かを照会する。
【００７６】
ステップＳ４０３において、サーバーにターゲットユーザーのユーザー情報が含まれている場合、第１端末装置にターゲットユーザーのユーザー情報を含む第１応答情報を送信する。
【００７７】
一般的に、サーバーには少なくとも一つのユーザーのプロフィ―ル情報と紹介情報を含みうるユーザー情報（該ユーザーが開示したがる情報）が記憶されている。ステップＳ４０１において、サーバーは、第１端末装置が操作されプロフィ―ル情報に基づくユーザー認識ソフトウェアを始動するように操作された後に送信したターゲットユーザーのプロフィ―ル情報を受信する。好ましくは、サーバーが受信したターゲットユーザーのプロフィ―ル情報は第１端末装置の暗号化された後のターゲットユーザーのプロフィ―ル情報であってもよい。好ましくは、ステップＳ４０１の前に、サーバーがいずれかの端末装置により送信されたターゲットユーザーのプロフィ―ル情報を受信した場合、ローカルに記憶されているユーザーのプロフィ―ル情報に基づいてマッチングできるように、少なくとも一つのユーザーのユーザー情報を取得し、記憶することをさらに含む。
【００７８】
好ましくは、サーバーはクラウドサーバーであってもよい。
【００７９】
ステップＳ４０２において、サーバーはターゲットユーザーのプロフィ―ル情報に基づいてサーバーにターゲットユーザーのユーザー情報が含まれているか否かを照会する。好ましくは、サーバーはターゲットユーザーのプロフィ―ル情報を、それぞれサーバーに記憶されている全てのユーザーのプロフィ―ル情報と順にマッチングさせて、サーバーにターゲットユーザーのユーザー情報が含まれているか否かを判断する。ターゲットユーザーのプロフィ―ル情報とサーバーに記憶されているユーザーＡのプロフィ―ル情報がいずれも同一のユーザーを標識する場合（即ち、ユーザーＡがターゲットユーザーであり、即ち、サーバーにターゲットユーザーのユーザー情報が含まれる）、第１端末装置に、サーバーに記憶されているターゲットユーザーのユーザー情報を含む第１応答情報を送信する（即ち、ステップＳ４０３）。一方、ターゲットユーザーのプロフィ―ル情報とサーバーに記憶されているいずれのユーザーのプロフィ―ル情報がいずれも同一のユーザーを標識しない場合（即ち、サーバーにターゲットユーザーのユーザー情報が含まれていない）、第１端末装置に第２応答情報を送信する（第２応答情報は、サーバーにターゲットユーザーのユーザー情報が含まれていないことを指示する）。
【００８０】
好ましくは、サーバーが受信したターゲットユーザーのプロフィ―ル情報が第１端末装置の暗号化されたターゲットユーザーのプロフィ―ル情報である場合、ステップＳ４０２の前に、受信した暗号化されたターゲットユーザーのプロフィ―ル情報に対して解読処理を行い、解読されたターゲットユーザーのプロフィ―ル情報を取得することをさらに含み、これに応じて、ステップＳ４０２は、解読されたターゲットユーザーのプロフィ―ル情報に基づいてサーバーにターゲットユーザーのユーザー情報が含まれているか否かを照会することを含む。
【００８１】
本実施例に係るユーザー情報を取得する方法では、第１端末装置から送信されたターゲットユーザーのプロフィ―ル情報を受信し、ターゲットユーザーのプロフィ―ル情報に基づいてサーバーにターゲットユーザーのユーザー情報が含まれているか否かを照会し、サーバーにターゲットユーザーのユーザー情報が含まれる場合、第１端末装置にターゲットユーザーのユーザー情報を含む第１応答情報を送信する。したがって、第１端末装置は正確なターゲットユーザーのユーザー情報を取得でき、ユーザーエクスペリエンスを向上させることができる。
【００８２】
図５Ａは他の一例示的な実施例によるユーザー情報を取得する方法のフローチャートであり、図５Ｂは図５Ａの例示的な実施例を実行する場合のインタフェースを示す図であり、該ユーザー情報を取得する方法は様々な端末装置におけるプロフィ―ル情報に基づくユーザー認識ソフトウェアに応用することができる。図５Ａに示すように、上記の図１Ａ−図３Ａに示された実施例をもとに、第２端末装置側（即ち、第１端末装置によりブロードキャストされたターゲットユーザーのプロフィ―ル情報を受信する端末装置側である）の処理ステップに対して詳しく説明する。
【００８３】
ステップＳ５０１において、第１端末装置によりブロードキャストされたターゲットユーザーのプロフィ―ル情報を受信する。
【００８４】
ステップＳ５０２において、ターゲットユーザーのプロフィ―ル情報と第２端末装置に記憶されているプロフィ―ル情報とに基づいて、第２端末装置がターゲットユーザーに対応するターゲット端末装置であるか否かを判断する。
【００８５】
ステップＳ５０３において、第２端末装置がターゲット端末装置である場合、第１端末装置に、ターゲット端末装置にローカルに記憶された、ターゲットユーザーのプロフィ―ル情報とターゲットユーザーの紹介情報を含むユーザー情報が含まれている第３応答情報を送信する。
【００８６】
本発明の実施例によれば、ステップＳ５０１において、第２端末装置は、第１端末装置がプロフィ―ル情報に基づくユーザー認識ソフトウェアを始動するように操作された後にブロードキャストされたターゲットユーザーのプロフィ―ル情報を受信する。好ましくは、第１端末装置はブルートゥース設備又はＷｉＦｉ等の方式によって予め設定した範囲内でターゲットユーザーのプロフィ―ル情報をブロードキャストすることができ、これに応じて、第２端末装置は対応する方式（即ち、第１端末装置のブロードキャスト方式と同様な方式）によってターゲットユーザーのプロフィ―ル情報を受信する。好ましくは、第２端末装置におけるプロフィ―ル情報に基づくユーザー認識ソフトウェアが始動されず、第２端末装置がその他の端末装置によりブロードキャストされたターゲットユーザーのプロフィ―ル情報を受信した場合、さらに第２端末装置がターゲット端末装置であるか否かを判断するように、第２端末装置におけるプロフィ―ル情報に基づくユーザー認識ソフトウェアを自動的に始動することができる。好ましくは、第２端末装置により受信されたターゲットユーザーのプロフィ―ル情報は、第１端末装置の暗号化されたターゲットユーザーのプロフィ―ル情報であってもよい。
【００８７】
ステップＳ５０２において、ターゲットユーザーのプロフィ―ル情報と第２端末装置に記憶されているプロフィ―ル情報（該プロフィ―ル情報は第２端末装置を携帯するユーザーを唯一に標識するものである）とに基づいて、第２端末装置がターゲットユーザーに対応するターゲット端末装置であるか否か、即ち、ターゲットユーザーのプロフィ―ル情報と第２端末装置に記憶されているプロフィ―ル情報が同一のユーザーを標識するか否かを判断する。ターゲットユーザーのプロフィ―ル情報と第２端末装置に記憶されているプロフィ―ル情報とが同一のユーザー（即ち、前記第２端末装置がターゲット端末装置である）を標識する場合、第１端末装置にターゲット端末装置にローカルに記憶されているユーザー情報（即ち、ターゲットユーザーのユーザー情報）を含む第３応答情報を送信する（即ち、ステップＳ５０３）。好ましくは、第２端末装置には、その他の端末装置に応答して第２端末装置に対応するユーザー含むユーザー情報（即ち、第１端末装置が第２端末装置に第２端末装置のユーザーのプロフィ―ル情報を送信する場合、第２端末装置は第１設備にユーザー情報を含む応答情報を自動的にフィードバックする）が予め設置され、又は、第２端末装置が第１端末装置に第３応答情報を送信する前に、第２端末装置が第２端末に対応するユーザー（即ち、ターゲットユーザー）に、第１端末装置から送信された請求に基づいて取得したユーザーのユーザー情報を、第１端末装置に送信することを許可するか否かを注意喚起することをさらに含む（図５Ｂに示すように）。ユーザーが第１端末装置に送信することを許可する場合、第２端末装置は第１端末装置に第３応答情報を送信する。一方、ユーザーが第１端末装置に送信することを拒絶した（即ち、第２端末装置がターゲット端末装置であり、ターゲットユーザーが第１端末装置にターゲットユーザーのユーザー情報を送信することを拒絶する）場合、第２端末装置は第１端末装置に、第２端末装置に対応するユーザー（即ち、ターゲットユーザー）に第１端末装置にユーザー情報を送信することを拒絶することを指示する第４応答情報を送信する。
【００８８】
好ましくは、ターゲットユーザーのプロフィ―ル情報と第２端末装置に記憶されているいずれのプロフィ―ル情報がいずれも同一のユーザーでないと標識された（即ち、前記第２端末装置がターゲット端末装置でない）場合、第２端末装置は第１端末装置に如何なる応答情報も送信しない。
【００８９】
好ましくは、第２端末装置が受信したターゲットユーザーのプロフィ―ル情報が第１端末装置の暗号化されたターゲットユーザーのプロフィ―ル情報である場合、ステップＳ５０２の前に、受信した暗号化されたターゲットユーザーのプロフィ―ル情報に対して解読処理を行い、解読されたターゲットユーザーのプロフィ―ル情報を取得することをさらに含み、これに応じて、ステップＳ５０２は、解読されたターゲットユーザーのプロフィ―ル情報と第２端末装置に記憶されているプロフィ―ル情報とに基づいて、第２端末装置がターゲットユーザーに対応するターゲット端末装置であるか否かを判断することを含む。
【００９０】
本実施例に係るユーザー情報を取得する方法では、第１端末装置によりブロードキャストされたターゲットユーザーのプロフィ―ル情報を受信し、ターゲットユーザーのプロフィ―ル情報と第２端末装置に記憶されているプロフィ―ル情報とに基づいて、第２端末装置がターゲットユーザーに対応するターゲット端末装置であるか否かを判断し、第２端末装置がターゲット端末装置である場合、第１端末装置にターゲット端末装置にローカルに記憶されているユーザー情報の第３応答情報を送信する。したがって、第１端末装置は正確なターゲットユーザーのユーザー情報を取得でき、ユーザーエクスペリエンスを向上させることができる。
【００９１】
図６は一例示的な実施例によるユーザー情報を取得する装置の実施例１のブロック図であり、図６に示すように、該ユーザー情報を取得する装置６０は、
ターゲットユーザーのプロフィ―ル情報を取得するように構成された第１取得モジュール６０１と、
第１取得モジュール６０１により取得したターゲットユーザーのプロフィ―ル情報とターゲットユーザーのユーザー情報を取得する方式を指示する少なくとも一つの取得戦略を含む予め設定した取得戦略集合とに基づいて、ターゲットユーザーのユーザー情報を取得するように構成された第２取得モジュール６０２と、を含む。
【００９２】
本発明の実施例に係るユーザー情報を取得する装置によれば、第１取得モジュールによってターゲットユーザーのプロフィ―ル情報を取得し、第２取得モジュールによって、ターゲットユーザーのプロフィ―ル情報と予め設定した取得戦略集合とに基づいて、ターゲットユーザーのユーザー情報を取得する。したがって、正確なターゲットユーザーのユーザー情報を取得でき、更にユーザーエクスペリエンスを向上させることができる。
【００９３】
上記の図６に示された実施例をもとに、図７は一例示的な実施例によるユーザー情報を取得する装置の実施例２のブロック図であり、図７に示すように、上記第２取得モジュール６０２は、
第１取得モジュール６０１により取得された、サーバーがターゲットユーザーのプロフィ―ル情報に基づいてサーバーにターゲットユーザーのユーザーのプロフィ―ル情報と紹介情報を含むユーザー情報が含まれているか否かを照会することを指示するターゲットユーザーのプロフィ―ル情報をサーバーに送信するように構成された第１送信サブモジュール６０２１と、
サーバーからフィードバックされたターゲットユーザーのユーザー情報を含む第１応答情報を受信するように構成された第１受信サブモジュール６０２２と、を含む。
【００９４】
さらに、第２取得モジュール６０２は、
サーバーからフィードバックされたサーバーにターゲットユーザーのユーザー情報が含まれていないことを指示する第２応答情報を受信するように構成された第２受信サブモジュール６０２３と、
予め設定した範囲内で第１取得モジュール６０１により取得されたターゲットユーザーのプロフィ―ル情報をブロードキャストするように構成された第１ブロードキャストサブモジュール６０２４と、
ターゲット端末装置からフィードバックされたターゲット端末装置にローカルに記憶されているユーザー情報を含む第３応答情報を受信するように構成された第３受信サブモジュール６０２５と、をさらに含み、ターゲットユーザーに対応するターゲット端末装置は予め設定した範囲内にある。
【００９５】
本実施例に係るユーザー情報を取得する装置によれば、第２取得モジュールがサーバーによってターゲットユーザーのユーザー情報を取得する方式と、ターゲットユーザーのプロフィ―ル情報をブロードキャストすることによってターゲットユーザーのユーザー情報を取得する方式とを組み合わせる方式によって、ターゲットユーザーのユーザー情報を取得する。したがって、正確なターゲットユーザーのユーザー情報を取得でき、ユーザーエクスペリエンスを向上させることができる。
【００９６】
上記図６により示された実施例をもとに、図８は一例示的な実施例によるユーザー情報を取得する装置の実施例３のブロック図であり、図８に示すように、上記第２取得モジュール６０２は、
予め設定した範囲内で第１取得モジュール６０１により取得されたターゲットユーザーのプロフィ―ル情報をブロードキャストするように構成された第２ブロードキャストサブモジュール６０２６と、
ターゲット端末装置からフィードバックされたターゲット端末装置にローカルに記憶されているユーザー情報を含む第３応答情報を受信するように構成された第４受信サブモジュール６０２７と、を含み、ターゲットユーザーに対応するターゲット端末装置は予め設定した範囲内にある。
【００９７】
さらに、第２取得モジュール６０２は、
ターゲット端末装置からフィードバックされた、ターゲットユーザーがターゲットユーザーのユーザー情報を送信することを拒絶することを指示する第４応答情報を受信するように構成された第５受信サブモジュール６０２８と、
第１取得モジュール６０１により取得された、サーバーがターゲットユーザーのプロフィ―ル情報に基づいてサーバーにターゲットユーザーのユーザーのプロフィ―ル情報と紹介情報を含むユーザー情報が含まれているか否かを照会することを指示するターゲットユーザーのプロフィ―ル情報をサーバーに送信するように構成された第２送信サブモジュール６０２９と、
サーバーからフィードバックされた、ターゲットユーザーのユーザー情報を含む第１応答情報を受信するように構成された第６受信サブモジュール６０２１０と、をさらに含む。
【００９８】
本実施例に係るユーザー情報を取得する装置によれば、第２取得モジュールがターゲットユーザーのプロフィ―ル情報をブロードキャストすることによってターゲットユーザーのユーザー情報を取得する方式と、サーバーによってターゲットユーザーのユーザー情報を取得する方式とを組み合わせる方式によって、ターゲットユーザーのユーザー情報を取得する。したがって、正確なターゲットユーザーのユーザー情報を取得でき、ユーザーエクスペリエンスを向上させることができる。
【００９９】
上記いずれかの実施例に係るユーザー情報を取得する装置は、図１〜図３のいずれかに示された方法の実施例を実行する技術的解決手段であり、その実現原理と技術的効果は類似しており、ターゲットユーザーのプロフィ―ル情報を取得し、ターゲットユーザーのプロフィ―ル情報をブロードキャストすることによってターゲットユーザーのユーザー情報を取得する方式と、サーバーによってターゲットユーザーのユーザー情報を取得する方式とを組み合わせる方式によって、ターゲットユーザーのユーザー情報を取得する。したがって、正確なターゲットユーザーのユーザー情報を取得でき、ユーザーエクスペリエンスを向上させることができる。
【０１００】
以上、ユーザー情報を取得する装置の内部機能モジュールと構造を説明し、その実質的な実行本体は端末装置（好ましくは、端末装置が第１端末装置である）でなければならない。図９は一例示的な実施例による端末装置の実体のブロック図であり、図９に示すように、該端末装置は、具体的にはターゲットユーザーのプロフィ―ル情報を取得するように構成されたプロセッサとプロセッサにより実行可能なコマンドを記憶するメモリに実現することができ、
ターゲットユーザーのプロフィ―ル情報とターゲットユーザーのユーザー情報を取得する方式を指示する少なくとも一つの取得戦略を含む予め設定した取得戦略集合とに基づいて、ターゲットユーザーのユーザー情報を取得する。
【０１０１】
上記情報の端末装置の実施例において、該プロセッサは中央処理装置（Ｃｅｎｔｒａｌ  Ｐｒｏｃｅｓｓｉｎｇ  Ｕｎｉｔ、ＣＰＵ）であってもよく、またその他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）等であってもよい。汎用プロセッサはマイクロプロセッサ又は如何なる通常のプロセッサなどであってもよく、メモリは読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、フラッシュメモリ、ハードディスク又はソリッドステートドライブであってもよい。ＳＩＭカードはユーザー身分認識カード、スマートカードとも言われ、デジタル携帯電話機にはこのカードを装着されなければ使用することができない。即ち、コンピュータチップにデジタル携帯電話ユーザーの情報、暗号化された秘密鍵及びユーザーの電話帳等の内容が記憶されている。本発明の実施例により開示された方法のステップに合わせて、ハードウェアプロセッサにより遂行し、又はプロセッサにおけるハードウェア及びソフトウェアモジュールの組合せを利用して遂行することに直接表現することができる。
【０１０２】
図１０は一例示的な実施例による端末装置１２００のブロック図である。例えば、該ユーザー情報を取得する装置は、スマートフォン、コンピュータ、タブレットパソコン等のプロフィ―ル情報に基づいてターゲットユーザーのユーザー情報を取得することを実現できる端末装置であってもよい。図１０に示すように、端末装置１２００は、プロセッサ部材１２０２、メモリ１２０４、電源部材１２０６、マルチメディア部材１２０８、オーディオ部材１２１０、入力／出力（Ｉ／Ｏ）インタフェース１２１２、センサ部材１２１４、及び通信部材１２１６のうちの一つ又は複数の部材を含むことができる。
【０１０３】
プロセッサ部材１２０２は、一般的に端末装置１２００の全体的操作を制御し、例えば、表示、データ通信、マルチメディア操作及び記録操作に関連する操作を制御する。プロセッサ部材１２０２は、上記方法の全部又は一部のステップを完成するために、コマンドを実行する一つ又は複数のプロセッサ１２２０を含むことができる。なお、プロセッサ部材１２０２は、その他の部材とのインタラクションが便利であるように、一つ又は複数のモジュールを含むことができる。例えば、プロセッサ部材１２０２は、マルチメディア部材１２０８とプロセッサ部材１２０２とのインタラクションが便利であるように、マルチメディアモジュールを含むことができる。
【０１０４】
メモリ１２０４は、端末装置１２００における操作をサポートするように、様々な種類のデータを記憶するように構成される。これらのデータの実例は、端末装置１２００において操作される如何なるアプリケーション又は方法のコマンド、各種類のデータ、メッセージ、画像、ビデオなどを含む。メモリ１２０４は、如何なる種類の揮発性又は不揮発性メモリ又はそれらの組み合わせ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【０１０５】
電源部材１２０６は、端末装置１２００の様々な部材のために電力を提供する。電源部材１２０６は、電源管理システム、一つ又は複数の電源、及びその他の端末装置１２００に対する生成、管理及び配電に関連する部材を含むことができる。
【０１０６】
マルチメディア部材１２０８は、端末装置１２００とユーザーとの間の出力インタフェースを提供するスクリーンを含む。一部の実施例において、スクリーンは、液晶ディスプレイ（ＬＣＤ）とタッチパネル（ＴＰ）を含むことができる。スクリーンにタッチパネルが含まれる場合、ユーザーからの入力信号を受信するために、スクリーンはタッチパネルに実現されることができる。タッチパネルは、タッチ、スワイプ及びタッチパネルにおけるジェスチャーを感知するために、一つ又は複数のタッチセンサを含む。タッチセンサは、タッチ又はスワイプ動作の境界を感知するとともに、タッチ又はスワイプ動作に関わる持続時間及び圧力を検出することができる。
【０１０７】
オーディオ部材１２１０は、オーディオ信号を出力及び／又は入力するように構成される。例えば、オーディオ部材１２１０は、マイクロフォン（ＭＩＣ）を含み、端末装置１２００が操作モードである場合、例えば、呼び出しモード、記録モード、音声認識モードである場合、マイクロフォンは外部のオーディオ信号を受信するように構成される。受信されたオーディオ信号は、さらにメモリ１２０４に記憶され、又は通信部材１２１６によって送信される。一部の実施例において、オーディオ部材１２１０は、さらにオーディオ信号を出力するスピーカーを含む。
【０１０８】
Ｉ／Ｏインタフェース１２１２は、プロセッサ部材１２０２と周辺インタフェースモジュールとの間にインタフェースを提供し、上記周辺インタフェースモジュールは、キーボード、クリックホイール、ボタンなどであってもよい。
【０１０９】
センサ部材１２１４は、端末装置１２００のために各方面の状態評価を提供する一つ又は複数のセンサを含む。例えば、センサ部材１２１４は、端末装置１２００のオン／オフ状態、部材の相対的位置決め、例えば、部材が端末装置１２００であるディスプレイ及びキーパッドを検出することができる。センサ部材１２１４は、さらに端末装置１２００又は端末装置１２００の一つの部材の位置変化、ユーザーと端末装置１２００との接触の存在又は不存在、端末装置１２００の方角又は加速／減速及び端末装置１２００の温度変化を検出することができる。センサ部材１２１４は、近接センサを含むことができ、如何なる物理的な接触がない時、近傍物体の存在を検出するように構成される。センサ部材１２１４は、さらにイメージングアプリケーションに用いられる光学センサ、例えば、ＣＭＯＳ又はＣＣＤイメージセンサを含むことができる。一部の実施例において、該センサ部材１２１４は、さらに加速度センサ、ジャイロセンサ、磁気センサ、圧力センサ又は温度センサを含むことができる。
【０１１０】
通信部材１２１６は、端末装置１２００とその他の装置との有線又は無線方式による通信が便利であるように構成される。端末装置１２００は、通信標準に基づく無線ネットワーク、例えば、ＷｉＦｉ、２Ｇ又は３Ｇ、又はそれらの組み合わせにアクセスすることができる。一例示的な実施例において、通信部材１２１６は、放送チャネルによって外部放送管理システムからの放送信号又は放送関連情報を受信する。一例示的な実施例において、通信部材１２１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）技術及びその他の技術に基づいて実現することができる。
【０１１１】
一例示的な実施例において、端末装置１２００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現することができ、上記方法を実行するのに用いられる。
【０１１２】
一例示的な実施例において、さらに、コマンドを含む非一時的コンピュータ可読記憶媒体、例えば、コマンドを含むメモリ１２０４を提供し、上記方法を完成するために、上記コマンドは端末装置１２００のプロセッサ１２２０により実行されることができる。例えば、非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１１３】
非一時的なコンピュータ可読記憶媒体であって、記憶媒体におけるコマンドがユーザー情報を取得する装置１９００のプロセッサ部材により実行される場合、ユーザー情報を取得する装置１９００にユーザー情報を取得する方法を実行させることができ、上記方法は、
ターゲットユーザーのプロフィ―ル情報を取得することと、
ターゲットユーザーのプロフィ―ル情報とターゲットユーザーのユーザー情報を取得する方式を指示する少なくとも一つの取得戦略を含む予め設定した取得戦略集合とに基づいて、ターゲットユーザーのユーザー情報を取得すること、とを含む。
【０１１４】
さらに、ターゲットユーザーのプロフィ―ル情報と予め設定した取得戦略集合とに基づいて、ターゲットユーザーのユーザー情報を取得することは、
サーバーがターゲットユーザーのプロフィ―ル情報に基づいてサーバーにターゲットユーザーのユーザーのプロフィ―ル情報と紹介情報を含むユーザー情報が含まれているか否かを照会することを指示するターゲットユーザーのプロフィ―ル情報をサーバーに送信することと、
サーバーからフィードバックされた、ターゲットユーザーのユーザー情報を含む第１応答情報を受信することと、を含む。
【０１１５】
さらに、ターゲットユーザーのプロフィ―ル情報をサーバーに送信した後、
サーバーからフィードバックされた、サーバーにターゲットユーザーのユーザー情報が含まれていないことを指示する第２応答情報を受信することと、
予め設定した範囲内でターゲットユーザーのプロフィ―ル情報をブロードキャストすることと、
ターゲット端末装置からフィードバックされた、ターゲット端末装置にローカル記憶されたユーザー情報を含む第３応答情報を受信することと、をさらに含み、
ターゲットユーザーに対応するターゲット端末装置は予め設定した範囲内にある。
【０１１６】
さらに、ターゲットユーザーのプロフィ―ル情報と予め設定した取得戦略集合とに基づいて、ターゲットユーザーのユーザー情報を取得することは、
予め設定した範囲内でターゲットユーザーのプロフィ―ル情報をブロードキャストすることと、
ターゲット端末装置からフィードバックされた、ターゲット端末装置にローカル記憶されたユーザー情報を含む第３応答情報を受信することと、を含み、ターゲットユーザーに対応するターゲット端末装置は予め設定した範囲内にある。
【０１１７】
さらに、予め設定した範囲内でターゲットユーザーのプロフィ―ル情報をブロードキャストした後、
ターゲット端末装置からフィードバックされた、ターゲットユーザーがターゲットユーザーのユーザー情報を送信することを拒絶することを指示する第４応答情報を受信することと、
サーバーがターゲットユーザーのプロフィ―ル情報に基づいてサーバーにターゲットユーザーのユーザーのプロフィ―ル情報と紹介情報を含むユーザー情報が含まれているか否かを照会することを指示するターゲットユーザーのプロフィ―ル情報をサーバーに送信することと、
サーバーからフィードバックされた、ターゲットユーザーのユーザー情報を含む第１応答情報を受信することと、をさらに含む。
【０１１８】
図１１は一例示的な実施例により示されたユーザー情報を取得する装置の実施例４のブロック図であり、図１１に示すように、該ユーザー情報を取得する装置１１０は、
第１端末装置により送信されたターゲットユーザーのプロフィ―ル情報を受信するように構成された受信モジュール１１０１と、
受信モジュール１１０１により受信されたターゲットユーザーのプロフィ―ル情報に基づいてサーバーにターゲットユーザーのユーザーのプロフィ―ル情報と紹介情報を含むユーザー情報が含まれているか否かを照会するように構成された照会モジュール１１０２と、
照会モジュール１１０２がサーバーにターゲットユーザーのユーザー情報が含まれたことを確認した場合、第１端末装置にターゲットユーザーのユーザー情報を含む第１応答情報を送信するように構成された第１送信モジュール１１０３と、を含む。
【０１１９】
本発明の実施例に係るユーザー情報を取得する装置は、受信モジュールにより第１端末装置から送信されたターゲットユーザーのプロフィ―ル情報を受信し、照会モジュールはターゲットユーザーのプロフィ―ル情報に基づいてサーバーにターゲットユーザーのユーザー情報が含まれているか否かを照会し、サーバーにターゲットユーザーのユーザー情報が含まれている場合、第１送信モジュールは第１端末装置にターゲットユーザーのユーザー情報を含む第１応答情報を送信する。したがって、第１端末装置は正確なターゲットユーザーのユーザー情報を取得でき、ユーザーエクスペリエンスを向上させることができる。
【０１２０】
上記図１１により示された実施例をもとに、図１２は一例示的な実施例によるユーザー情報を取得する装置の実施例５のブロック図であり、図１１に示すように、上記装置は、
照会モジュール１１０２によりサーバーにターゲットユーザーのユーザー情報が含まれていないことを確認した場合、第１端末装置に、サーバーにターゲットユーザーのユーザー情報が含まれていないことを指示する第２応答情報を送信するように構成された第２送信モジュール１１０４、をさらに含む。
【０１２１】
さらに、上記装置は、
少なくとも一つのユーザーのユーザー情報を取得し、記憶するように構成された取得モジュール１１０５をさらに含む。
【０１２２】
上記いずれかの実施例に係るユーザー情報を取得する装置は、図４に示された方法の実施例の技術的解決手段を実行し、その実現原理と技術的効果は類似しており、第１端末装置から送信されたターゲットユーザーのプロフィ―ル情報を受信し、ターゲットユーザーのプロフィ―ル情報に基づいてサーバーにターゲットユーザーのユーザー情報が含まれているか否かを照会し、サーバーにターゲットユーザーのユーザー情報が含まれている場合、第１端末装置にターゲットユーザーのユーザー情報を含む第１応答情報を送信する。したがって、第１端末装置は正確なターゲットユーザーのユーザー情報を取得でき、ユーザーエクスペリエンスを向上させることができる。
【０１２３】
以上、ユーザー情報を取得する装置の内部機能モジュールと構造を説明したが、その実質的な実行本体はサーバーでなければならない。図１３は一例示的な実施例によるサーバーの実体のブロック図であり、図１３に示すように、該サーバーは、具体的には、
第１端末装置から送信されたターゲットユーザーのプロフィ―ル情報を受信するように構成された受信機と、
サーバーにターゲットユーザーのユーザー情報が含まれている場合、第１端末装置にターゲットユーザーのユーザー情報を含む第１応答情報を送信するように構成された送信機と、
ターゲットユーザーのプロフィ―ル情報に基づいてサーバーにターゲットユーザーのユーザーのプロフィ―ル情報と紹介情報を含むユーザーのプロフィ―ル情報と紹介情報を含むユーザー情報が含まれているか否かを照会するように構成されたプロセッサと、
プロセッサにより実行可能なコマンドを記憶するメモリと、によって実現されることができる。
【０１２４】
上記情報のサーバーの実施例において、該プロセッサは中央処理装置（Ｃｅｎｔｒａｌ  Ｐｒｏｃｅｓｓｉｎｇ  Ｕｎｉｔ、ＣＰＵ）であってもよく、さらにその他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）等であってもよいことを理解すべきである。汎用プロセッサはマイクロプロセッサ又は如何なる通常のプロセッサであってもよく、メモリは読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、フラッシュメモリ、ハードディスク又はソリッドステートドライブであってもよい。本発明の実施例により開示された方法のステップに合わせて、ハードウェアプロセッサによる遂行、又はプロセッサにおけるハードウェア及びソフトウェアモジュールの組合せにより遂行することに直接表現することができる。
【０１２５】
図１４は一例示的な実施例により示されたサーバー１９００のブロック図である。図９に示すように、サーバー１９００は、プロセッサ部材１９２２を含み、さらに一つ又は複数のプロセッサと、メモリ１９３２により代表されるプロセッサ部材１９２２により実行可能なコマンド、例えば、アプリケーションを記憶するのに用いられるメモリリソースとを含む。メモリ１９３２に記憶されたアプリケーションは、一つ又は一つ以上の、それぞれがワンセットコマンドに対応するモジュールを含むことができる。また、プロセッサ部材１９２２は、上記図４に示されたユーザー情報を取得する方法のステップを実行するために、コマンドを実行するように構成される。
【０１２６】
サーバー１９００は、サーバー１９００の電源管理を実行するように構成された電源部材１９２６と、サーバー１９００をネットワークに接続するように構成された有線又は無線ネットワークインタフェース１９５０と、入出力（Ｉ／Ｏ）インタフェース１９５８とをさらに含むことができる。サーバー１９００は、メモリ１９３２に記憶されているオペレーティングシステム、例えば、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭ又は類似するものを操作することができる。
【０１２７】
図１５は一例示的な実施例によるユーザー情報を取得する装置の実施例６のブロック図であり、図１５に示すように、該ユーザー情報を取得する装置１５０は、
第１端末装置によりブロードキャストされたターゲットユーザーのプロフィ―ル情報を受信するように構成された受信モジュール１５０１と、
受信モジュール１５０１により受信されたターゲットユーザーのプロフィ―ル情報と第２端末装置に記憶されているプロフィ―ル情報とに基づいて、第２端末装置がターゲットユーザーに対応するターゲット端末装置であるか否かを判断するように構成された判断モジュール１５０２と、
判断モジュール１５０２により第２端末装置がターゲット端末装置であることを確認した場合、第１端末装置にターゲット端末装置にローカルに記憶されているターゲットユーザーのプロフィ―ル情報と紹介情報を含むユーザー情報が含まれた第３応答情報を送信するように構成された第１送信モジュール１５０３と、を含む。
【０１２８】
本発明の実施例に係るユーザー情報を取得する装置は、受信モジュールにより第１端末装置によりブロードキャストされたターゲットユーザーのプロフィ―ル情報を受信し、判断モジュールはターゲットユーザーのプロフィ―ル情報と第２端末装置に記憶されているプロフィ―ル情報とに基づいて、第２端末装置がターゲットユーザーに対応するターゲット端末装置であるか否かを判断し、第２端末装置がターゲット端末装置である場合、第１送信モジュールは第１端末装置にターゲット端末装置にローカルに記憶されているユーザー情報を含む第３応答情報を送信する。したがって、第１端末装置は正確なターゲットユーザーのユーザー情報を取得でき、ユーザーエクスペリエンスを向上させることができる。
【０１２９】
上記図１５により示された実施例をもとに、図１６は一例示的な実施例にるユーザー情報を取得する装置の実施例７のブロック図であり、図１６に示すように、上記装置は、
判断モジュール１５０２により第２端末装置がターゲット端末装置であり、ターゲットユーザーが第１端末装置にターゲットユーザーのユーザー情報を送信することを拒絶することを確認した場合、第１端末装置に、ターゲットユーザーが第１端末装置にユーザー情報を送信することを拒絶することを指示する第４応答情報を送信するように構成された第２送信モジュール１５０４をさらに含む。
【０１３０】
上記いずれかの実施例に係るユーザー情報を取得する装置は、図５に示された方法の実施例の技術的解決手段を実行し、その実現原理と技術的効果は類似しており、第１端末装置によりブロードキャストされたターゲットユーザーのプロフィ―ル情報を受信し、ターゲットユーザーのプロフィ―ル情報と第２端末装置に記憶されているプロフィ―ル情報とに基づいて、第２端末装置がターゲットユーザーに対応するターゲット端末装置であるか否かを判断し、第２端末装置がターゲット端末装置である場合、第１端末装置にターゲット端末装置にローカルに記憶されたユーザー情報を含む第３応答情報を送信する。したがって、第１端末装置は正確なターゲットユーザーのユーザー情報を取得でき、ユーザーエクスペリエンスを向上させることができる。
【０１３１】
以上、ユーザー情報を取得する装置の内部機能モジュールと構造を説明したが、その実質的な実行本体は端末装置（好ましくは、端末装置が第２端末装置である）でなければならない。図１７は一例示的な実施例による端末装置の実体のブロック図二であり、図１７に示すように、該端末装置は、具体的には、
第１端末装置によりブロードキャストされたターゲットユーザーのプロフィ―ル情報を受信するように構成された受信機と、
第２端末装置がターゲット端末装置である場合、第１端末装置に、ターゲット端末装置にローカルに記憶されているターゲットユーザーのプロフィ―ル情報とターゲットユーザーの紹介情報を含むユーザー情報が含まれた第３応答情報を送信するように構成された送信機と、
ターゲットユーザーのプロフィ―ル情報と第２端末装置に記憶されたプロフィ―ル情報に基づいて、第２端末装置がターゲットユーザーに対応するターゲット端末装置であるか否かを判断するように構成されたプロセッサ、及び
プロセッサにより実行可能なコマンドを記憶するメモリと、によって実現されることができる。
【０１３２】
好ましくは、端末装置のブロック図は上記図１０に示された内容を詳しく参照することができ、ここでは説明を省略する。
【０１３３】
一例示的な実施例において、コマンドを含む非一時的コンピュータ可読記憶媒体、例えば、コマンドを含むメモリをさらに提供し、上記方法を完成するために、上記コマンドは端末装置のプロセッサにより実行されることができる。例えば、非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１３４】
非一時的なコンピュータ可読記憶媒体であって、記憶媒体におけるコマンドがユーザー情報を取得する装置のプロセッサ部材により実行される場合、ユーザー情報を取得する装置にユーザー情報を取得する方法を実行させることができ、上記方法は、
第１端末装置によりブロードキャストされたターゲットユーザーのプロフィ―ル情報を受信することと、
ターゲットユーザーのプロフィ―ル情報と第２端末装置に記憶されたプロフィ―ル情報に基づいて、第２端末装置がターゲットユーザーに対応するターゲット端末装置であるか否かを判断することと、
第２端末装置がターゲット端末装置である場合、第１端末装置に、ターゲット端末装置にローカルに記憶されたターゲットユーザーのプロフィ―ル情報とターゲットユーザーの紹介情報を含むユーザー情報が含まれた第３応答情報を送信することと、を含む。
【０１３５】
さらに、ターゲットユーザーのプロフィ―ル情報と第２端末装置に記憶されているプロフィ―ル情報とに基づいて、第２端末装置がターゲットユーザーに対応するターゲット端末装置であるか否かを判断した後、
第２端末装置がターゲット端末装置であり、ターゲットユーザーが第１端末装置にターゲットユーザーのユーザー情報を送信することを拒絶した場合、第１端末装置に、ターゲットユーザーが第１端末装置にユーザー情報を送信することを拒絶したことを指示する第４応答情報を送信することをさらに含む。
【０１３６】
いわゆる当業者であれば、明細書を考慮し、ここに開示された発明を実践した上で、本発明のその他の実行態様を容易に想到できる。本願は、本発明の如何なる変形、用途又は適応的変化を含むことを意図しており、これらの変形、用途又は適応的変化は本発明の一般的な原理に準じ、本発明に開示されていない当該技術分野における一般的な知識又は慣用の技術的手段を含む。明細書と実施例は、例示的なものに過ぎず、本発明の技術的範囲と精神は、特許請求の範囲によって決められる。
【０１３７】
本発明は、上記の説明及び図面に示された正確な構造に限定されることなく、その要旨を逸脱しない範囲内で様々な修正や変更を行うことができる。本発明の範囲は、特許請求の範囲のみによって制限される。
【図１Ａ】
0006502955.tif 000002
【図１Ｂ】
0006502955.tif 000003
【図１Ｃ】
0006502955.tif 000004
【図２Ａ】
0006502955.tif 000005
【図２Ｂ】
0006502955.tif 000006
【図２Ｃ】
0006502955.tif 000007
【図２Ｄ】
0006502955.tif 000008
【図３Ａ】
0006502955.tif 000009
【図３Ｂ】
0006502955.tif 000010
【図３Ｃ】
0006502955.tif 000011
【図３Ｄ】
0006502955.tif 000012
【図４】
0006502955.tif 000013
【図５Ａ】
0006502955.tif 000014
【図５Ｂ】
0006502955.tif 000015
【図６】
0006502955.tif 000016
【図７】
0006502955.tif 000017
【図８】
0006502955.tif 000018
【図９】
0006502955.tif 000019
【図１０】
0006502955.tif 000020
【図１１】
0006502955.tif 000021
【図１２】
0006502955.tif 000022
【図１３】
0006502955.tif 000023
【図１４】
0006502955.tif 000024
【図１５】
0006502955.tif 000025
【図１６】
0006502955.tif 000026
【図１７】
0006502955.tif 000027